(57)【要約】【課題】メモ台の使い勝手を向上させた椅子を提供する。【手段】座１の側方に立設した支柱５に昇降体６が高さ調節可能に取付けられている。昇降体６には傾動枠８が水平姿勢から後傾させ得るように取付けられており、傾動枠８にメモ台７を固定けている。使用者は身長に応じて使い易い高さにメモ台の高さを調節できる。また、着座姿勢や作業内容に応じて、メモ台を水平姿勢にしたり後傾姿勢にしたり最も使い易い姿勢に調節できる。【選択図】        図１
2004261298.tif 000002
【特許請求の範囲】
【請求項１】
少なくとも座と脚とを有する椅子本体に、メモ台を、水平姿勢から後傾姿勢に姿勢変更可能に取付けている、
メモ台付き椅子。
【請求項２】
メモ台を椅子本体に後傾可能となるように取付けることに加えて又はこれに代えて、メモ台を椅子本体に高さ調節可能に取付けている、
メモ台付き椅子。
【発明の詳細な説明】
【０００１】
【発明の属する技術分野】
本発明は、メモ台（小テーブル）付きの椅子に関するものである。
【０００２】
【従来の技術】
メモ台付き椅子には、メモ台が固定式になっているものと折り畳み式になっているものとがある。固定式のものは当然のことながら、折り畳み式の場合でも使用状態においてメモ台の高さや姿勢は一定になっている。
【０００３】
【発明が解決しようとする課題】
ところで、使用者が後傾姿勢で着座している場合はメモ台も側面視で後傾姿勢の方が使い易いというように、側面視でのメモ台の好適な姿勢は使用者の着座姿勢によって異なるものである。
【０００４】
また、例えば筆記作業を行う場合は水平姿勢が使い易くて、ノート型パソコン（或いは電子手帳や携帯端末）を使用する場合は後傾している方が使い易いというように、作業内容によってもメモ台の好適な姿勢（側面視での姿勢）は異なっている。
【０００５】
更に、使用者の好みや癖によってもメモ台の好適な姿勢は相違する（従って、後傾姿勢の方が筆記し易いという人もいるであろう）。また、人の身長や体格は様々であり、メモ台の使い易い高さは使用者の身長によって異なってくる。
【０００６】
しかるに、従来の椅子のメモ台は、使用状態でメモ台の高さや姿勢は一定であるため、使用者の身長や着座姿勢、作業内容、或いは好みに応じて最も好適な使用状態を得ることができなかった。
【０００７】
本発明は、この現状を改善することを課題とするものである。
【０００８】
【課題を解決するための手段】
請求項１の発明に係るメモ台付き椅子は、少なくとも座と脚とを有する椅子本体に、メモ台を、水平姿勢から後傾姿勢に姿勢変更可能に取付けている。この場合、メモ台の姿勢は段階的に調節できるようにしても良いし、無段階的に調節可能としても良い。
【０００９】
請求項２の発明では、請求項１のようにメモ台を椅子本体に後傾可能となるように取付けることに加えて又はこれに代えて、メモ台を椅子本体に高さ調節可能に取付けている。この場合、メモ台の高さは段階的に調節できるようにしても良いし、無段階的に調節可能としても良い。
【００１０】
【発明の作用・効果】
請求項１のように構成すると、使用者は、例えば後傾姿勢やノート型パソコンを使用する場合はメモ台を後傾姿勢にして使用するというように、着座姿勢や作業内容、或いは好みに応じてメモ台を水平姿勢や後傾姿勢に変えることができる。従って、メモ台の使い勝手を格段に向上させることができる。
【００１１】
請求項２のように構成すると、メモ台の高さを使用者の体格や好みに応じて変更することができるため、やはり使い勝手を向上できる。特に、メモ台の高さと姿勢との両方を変更できるように構成すると、一層好適である。
【００１２】
【発明の実施形態】
次に、本発明の実施形態を図面に基づいて説明する。
【００１３】
（１）．第１実施形態（図１〜図３）
図１〜３では第１実施形態を示している。図１は正面図、図２のうち（Ａ）は要部の右側面図、図３は図１の  ＩＩＩ−ＩＩＩ視断面図である。
【００１４】
椅子は、座１と背もたれ２と脚３とで構成された椅子本体４を備えている。脚３は鋼管等の金属パイプから成っており、脚３をフレーム構造として、これに座１と背もたれ２とを取付けている。
【００１５】
詳細は省略するが、座１は、例えば合成樹脂製又は金属板製の座板にクッションを張った構造になっている（もちろん、他の構造でも良い）。また、背もたれ２も合成樹脂製の背板にクッションを張った構造になっている（もちろん、クッションのない構造でも良い）。
【００１６】
座１の下面のうち正面視で左側の部分（着座した人から見ると右側の部分）でかつ正面視で手前側の部分に、座１の側方から上向きに延びる支柱５をねじ止め等の締結手段によって固定し、この支柱５に昇降体６を昇降自在に嵌め込み、更に、昇降体６に、メモ台７が固定された傾動枠８を、その後部を中心にして上下回動するように左右長手のピン９にて取付けている。
【００１７】
メモ台７は、その後部が傾動枠８に固定されている（着座した人の邪魔にならないようにするためである）。支柱５には、例えば断面小判型の金属パイプを使用することができる。
【００１８】
図２（Ｂ）に概略だけ示すように、支柱５には、多数の係合溝１０が上下に飛び飛びで形成された係合部１１を設けている。他方、昇降体６には、係合溝１０に嵌脱するロック爪１２を水平状のピン１３によって回動自在に取付けており、ロック爪１２は図示しないばねで係合溝１０に嵌まる方向に付勢されている。また、ロック爪１２には、昇降体６の外側からプッシュ操作できるボタン１２ａを一体に設けている。
【００１９】
従って、ボタン１２ａを押すとロックが解除されて、昇降体６を一定の範囲内で段階的に高さ調節することができる。
【００２０】
図３に示すように、昇降体６の上端に前後方向に長い支持部６ａが固定されており、この支持部６ａに傾動枠８が被さった状態になっている。そして、支持部６ａの前面に係合手段の一環として鋸歯状のラック部材１３を設ける一方、傾動枠８には、係合手段の一環として、ラック部材１３に係脱する回動式のロック爪１４をピン１５にて取付け、ばね１６によってロック爪１４をラック部材１３に係合する方向に付勢している。
【００２１】
更に、傾動枠８には、ばね１６に抗してロック爪１４をラック部材１３から係合解除する方向に回動させるボタン１７を設けている。この例では、ロック爪１４とラック部材１３と覇一種のラチェット機構を構成しているため、メモ台７は後傾させる場合はボタン１７に指を掛ける必要はなく、後傾姿勢から水平姿勢に戻す場合又は後傾姿勢を小さくする場合に、ボタン１７をプッシュ操作したら良い。
【００２２】
以上のように、メモ台７の高さを変更できるため、使用者は体格や好みに応じてメモ台を最も使い易い高さに調節することができる。また、通常の姿勢や筆記作業のときはメモ台を水平にして、身体を後傾させたりノート型パソコンを使用する場合はメモ台７を後傾させるというように、メモ台７の姿勢を最も作業がし易い状態に調節することができる。これらにより、メモ台７の使い勝手を向上できるのである。
【００２３】
昇降体６を高さ調節するために当該昇降体と支柱５とに設ける係合手段、及び、傾動枠８の側面視姿勢を調節するために昇降体６と傾動枠８とに設ける係合手段は、図示のような態様に限らず、様々の機構を採用することができる。なお、メモ台７を前傾姿勢に変更できるようにすることも可能である。
【００２４】
なお、図１に二点鎖線で示すように、メモ台７を起立させ得るように蝶番（図示せず）にて傾動枠８に取付けることも可能であり、こうすると、着座及び離席に際してメモ台７が邪魔になることを防止できる利点である。
【００２５】
（２）．第２実施形態（図４）
ところで、メモ台７を傾斜させると、書類やパソコン、或いは筆記具のような載置物が滑り落ちることが懸念される。この点への対策の例を図４で第２実施形態として何点か示している。（Ａ）〜（Ｄ）はメモ台７の左側面図、（Ｅ）はメモ台７の背面図である。
【００２６】
（Ａ）に示すのはメモ台７の後端縁に上向きの突条１５を設けた例、（Ｂ）に示すのは後端縁寄りの部位に溝１６を形成した例、（Ｃ）に示すのは、メモ台７の表面の全体を摩擦係数の高い（或いは極く弱い粘着性のある）滑り止めシート７ａで構成した例である。
【００２７】
また、（Ｄ）に示すのは、メモ台７の後端縁にストッパー１７を上下動自在に取付けて、メモ台７の後傾時だけストッパー１７を上昇させ得るようにした例、（Ｅ）に示すのは、メモ台７の後端縁にストッパー板１８をピン１９にて左右スライド自在に取付けるにおいて、ピン１９に嵌まる長穴２０を段違い状に形成することにより、ストッパー板１９がスライドしつつ上下動するように構成した例である。
【００２８】
（Ｄ）（Ｅ）のような可動式のストッパー１７，１８を設けると、必要なときだけストッパー機能を発揮できて好適である。
【００２９】
（３）．第３実施形態（図４〜図５）
図５〜６では第３実施形態を示している。この実施形態は基本的には第１実施形態と同様で、メモ台７はその高さと側面視姿勢とを調節できるが、相違点として、支柱５を断面円形に形成して、これに昇降体６を水平回転自在に装着している。
【００３０】
この実施形態では、メモ台７を図５に一点鎖線で示すように水平旋回させることにより、離着席を容易に行える。また、着座した人が使用するにおいて、メモ台７を腹部に近づけたり逆に遠ざけたりというようにメモ台７の水平姿勢を好みに応じて変えることも可能である。
【００３１】
なお、メモ台７が過度に軽い力で旋回すると筆記やパソコン操作がしにくいので、ある程度の力を掛けないと昇降体６が回転しないように、昇降体６の回転に対してある程度の抵抗を付与しておくのが好ましい。
【００３２】
（４）．その他
本発明の実施形態を何例か示したが、本発明は上記の実施形態の他にも様々に具体化することができる。例えば、メモ台は、椅子本体の側部に沿う姿勢に折り畳みできるようにすることも可能である。
【００３３】
メモ台の側面視姿勢を段階的に調節可能とする場合、実施形態のように多段階に調節可能とすることに代えて、水平姿勢と後傾姿勢との２つの姿勢だけを選択できるようにしても良い。
【００３４】
また、椅子本体を構成する脚や座、背もたれの形状や構造には限定はない。従って、パイプ椅子には限らず、例えばキャスター付きの回転椅子にも適用することもできる。
【図面の簡単な説明】
【図１】第１実施形態の正面図である。
【図２】（Ａ）は図１の部分的な右側面図、  （Ｂ）は昇降体の高さを保持する係合手段（ロック手段）の概略図である。
【図３】図１の  ＩＩＩ−ＩＩＩ視断面図である。
【図４】第２実施形態を示す図である。
【図５】第３実施形態の平面図である。
【図６】図４の左側面図である。
【符号の説明】
１  座
２  背もたれ
３  脚
４  椅子本体
５  支柱
６  昇降体
７  メモ台
８  傾動枠
１２，１４  係合手段を構成するロック爪
１３  係合手段を構成するラック部材
１２ａ，１７  ロック解除用のボタン
【図１】
2004261298.tif 000003
【図２】
2004261298.tif 000004
【図３】
2004261298.tif 000005
【図４】
2004261298.tif 000006
【図５】
2004261298.tif 000007
【図６】
2004261298.tif 000008